(57)【要約】【課題】  操作者一人当たりの占有時間を短縮する。【解決手段】  まず、メディアから読み出された画像データファイルが記憶される（Ｓ１１３）。そして、記憶された各画像データファイルは、環境判断部によって、屋内の画像であるか否かや晴れの日の画像であるか否か等の画像の周辺環境が判断された後（Ｓ１１４）、分類部によって、環境判断部が判断した周辺環境に基づいて、複数のグループに分類される（Ｓ１１８）。次に、ディスプレイに、周辺環境又はその組合せに係る複数の選択肢のいずれかを入力可能な周辺環境選択画面が表示される（Ｓ１１９）。続いて、分類部が分類した複数のグループの中から、周辺環境選択画面において顧客が入力した選択肢に適合するグループが抽出される（Ｓ１２１）。その後、抽出されたグループに含まれる画像データファイルに係るサムネイル画像がディスプレイに表示される。【選択図】        図７Ａ
2006301052.tif 000002
【特許請求の範囲】
【請求項１】
写真プリントの注文を受け付けるプリント注文受付装置であって、
記録媒体に記録された画像データファイルを読み出すための読み出し部と、
画像の撮影時における周辺環境を判断するための基準となる一又は複数種類の周辺環境判断基準を記憶する判断基準記憶手段と、
前記読み出し部によって読み出された一又は複数の画像データファイルに対して前記判断基準記憶手段に記憶された前記一又は複数種類の周辺環境判断基準のうちの少なくともいずれか１つに基づいた画像認識処理を行うことによって、各画像データファイルに係る画像の撮影時における周辺環境を判断する環境判断手段と、
前記読み出し部によって読み出された前記一又は複数の画像データファイルを、前記環境判断手段によって判断された周辺環境又はその組合せに基づいて一又は複数のグループに分類する分類手段と、
ディスプレイと、
前記読み出し部によって読み出された前記一又は複数の画像データファイルに係る一又は複数の画像のうち、前記ディスプレイへの表示が望まれる又は望まれない画像の撮影時における一又は複数種類の周辺環境又はその組合せに係る複数の選択肢のうちの少なくともいずれか１つを入力する周辺環境入力手段と、
前記一又は複数のグループの中から、前記周辺環境入力手段によって入力された一又は複数の選択肢に適合した又は適合しないグループを抽出する抽出手段と、
前記抽出手段が抽出したグループに含まれる画像データファイルに係る画像を含む注文画面を前記ディスプレイに表示させる注文画面表示制御手段とを備えていることを特徴とするプリント注文受付装置。
【請求項２】
前記分類手段が分類した一又は複数のグループと同様に分類されたグループについての周辺環境及びその組合せに係る複数の選択肢を含む周辺環境選択画面を前記ディスプレイに表示させる選択画面表示制御手段をさらに備えていることを特徴とする請求項１に記載のプリント注文受付装置。
【請求項３】
前記選択画面表示制御手段が、各選択肢に対応した複数のアイコンを含む前記周辺環境選択画面を前記ディスプレイに表示させることを特徴とする請求項２に記載のプリント注文受付装置。
【請求項４】
前記分類手段が前記読み出し部によって読み出された前記一又は複数の画像データファイルを一又は複数のグループに分類する際に用いる周辺環境又はその組合せを指定する指定手段と、
前記指定手段が指定する周辺環境又はその組合せを書き換える書換手段とをさらに備えていることを特徴とする請求項１〜３のいずれか１項に記載のプリント注文受付装置。
【請求項５】
注文の完了が指示されたかを確認する確認手段をさらに備えており、
注文の完了が指示されたと前記確認手段が確認するまで、前記周辺環境入力手段が選択肢を複数回入力可能であり、
前記周辺環境入力手段が選択肢を入力するごとに、前記抽出手段がグループを抽出することを特徴とする請求項１〜４のいずれか１項に記載のプリント注文受付装置。
【請求項６】
前記読み出し部によって読み出された画像データファイルに対して、前記周辺環境判断手段によって判断された周辺環境又はその組合せに基づいて画像処理を施す画像処理手段をさらに備えていることを特徴とする請求項１〜５のいずれか１項に記載のプリント注文受付装置。
【請求項７】
前記周辺環境判断手段によって判断された周辺環境又はその組合せに基づいて、前記読み出し部によって読み出された画像データファイルに係る画像と合成するためのテンプレート画像データファイルを複数のテンプレート画像データファイルの中から選択するテンプレート選択手段をさらに備えていることを特徴とする請求項１〜６のいずれか１項に記載のプリント注文受付装置。
【請求項８】
写真プリントの注文を受け付けるプリント注文受付方法において、
記録媒体に記録された画像データファイルを読み出す読み出しステップと、
前記読み出しステップにおいて読み出された一又は複数の画像データファイルに対して画像の撮影時における周辺環境を判断するための基準となる一又は複数種類の周辺環境判断基準のうちの少なくともいずれか１つに基づいた画像認識処理を行うことによって、各画像データファイルに係る画像の撮影時における周辺環境を判断する環境判断ステップと、
前記読み出しステップにおいて読み出された前記一又は複数の画像データファイルを、前記環境判断ステップにおいて判断された周辺環境又はその組合せに基づいて一又は複数のグループに分類する分類ステップと、
前記読み出しステップにおいて読み出された前記一又は複数の画像データファイルに係る一又は複数の画像のうち、ディスプレイへの表示が望まれる又は望まれない画像の撮影時における一又は複数種類の周辺環境又はその組合せに係る複数の選択肢のうちの少なくともいずれか１つの入力を受け付ける周辺環境入力受付ステップと、
前記一又は複数のグループの中から、前記周辺環境入力受付ステップにおいて入力された一又は複数の選択肢に適合した又は適合しないグループを抽出する抽出ステップと、
前記抽出ステップにおいて抽出されたグループに含まれる画像データファイルに係る画像を含む注文画面を前記ディスプレイに表示する注文画面表示ステップとを備えていることを特徴とするプリント注文受付方法。
【発明の詳細な説明】
【技術分野】
【０００１】
本発明は、写真プリントの注文を受け付けるプリント注文受付装置、及びプリント注文受付装置におけるプリント注文受付方法に関する。
【背景技術】
【０００２】
デジタルカメラの普及に伴って、デジタルカメラで撮影した画像データファイル等のプリントの注文を受け付けるプリント注文受付装置が、ＤＰ店の店頭に設置されるようになっている。特許文献１に示すように、係るプリント注文受付装置は、タッチパネル式のディスプレイを備えている。そして、顧客が自ら持参した画像データファイルが記録されたメディアをプリント注文受付装置にセットすると、当該メディアに記録された全ての画像データファイルに係るサムネイル画像がディスプレイに表示される。このとき、メディアに記録された画像データファイルのコマ数が多い場合には、サムネイル画像は、複数ページに分けて、例えば８コマ毎に表示される。顧客は、ディスプレイに表示されたサムネイル画像を確認し、タッチパネルを介して、当該画像のプリント枚数等の注文情報を入力することが可能となっている。
【特許文献１】特開２００３−１２１９４６号公報
【発明の開示】
【発明が解決しようとする課題】
【０００３】
近年、メディアの記録容量の増加に伴い、メディアに記録される画像データファイルの数が増加している。ここで、大量の画像データファイルが記録された大容量のメディアが上述のプリント注文受付装置にセットされた場合には、プリント注文受付装置のディスプレイに、メディアに記録された大量の画像データファイルに係る多数のサムネイル画像が複数ページに亘って表示される。このとき、顧客は、ディスプレイに表示された多数のサムネイル画像の中からプリントの注文を希望する画像を探さなくてはないので、プリント注文受付装置の占有時間が長くなる。したがって、プリント注文受付装置の時間効率が低下するという問題が生じる。
【０００４】
そこで、本発明の目的は、操作者一人当たりの占有時間を短縮することができるプリント注文受付装置及びプリント注文受付方法を提供することである。
【課題を解決するための手段及び効果】
【０００５】
本発明のプリント注文受付装置は、写真プリントの注文を受け付けるプリント注文受付装置であって、記録媒体に記録された画像データファイルを読み出すための読み出し部と、画像の撮影時における周辺環境を判断するための基準となる一又は複数種類の周辺環境判断基準を記憶する判断基準記憶手段と、前記読み出し部によって読み出された一又は複数の画像データファイルに対して前記判断基準記憶手段に記憶された前記一又は複数種類の周辺環境判断基準のうちの少なくともいずれか１つに基づいた画像認識処理を行うことによって、各画像データファイルに係る画像の撮影時における周辺環境を判断する環境判断手段と、前記読み出し部によって読み出された前記一又は複数の画像データファイルを、前記環境判断手段によって判断された周辺環境又はその組合せに基づいて一又は複数のグループに分類する分類手段とを備えている。加えて、本発明のプリント注文受付装置は、ディスプレイと、前記読み出し部によって読み出された前記一又は複数の画像データファイルに係る一又は複数の画像のうち、前記ディスプレイへの表示が望まれる又は望まれない画像の撮影時における一又は複数種類の周辺環境又はその組合せに係る複数の選択肢のうちの少なくともいずれか１つを入力する周辺環境入力手段と、前記一又は複数のグループの中から、前記周辺環境入力手段によって入力された一又は複数の選択肢に適合した又は適合しないグループを抽出する抽出手段と、前記抽出手段が抽出したグループに含まれる画像データファイルに係る画像を含む注文画面を前記ディスプレイに表示させる注文画面表示制御手段とを備えている。
【０００６】
また、本発明のプリント注文受付方法は、写真プリントの注文を受け付けるプリント注文受付方法において、記録媒体に記録された画像データファイルを読み出す読み出しステップと、前記読み出しステップにおいて読み出された一又は複数の画像データファイルに対して画像の撮影時における周辺環境を判断するための基準となる一又は複数種類の周辺環境判断基準のうちの少なくともいずれか１つに基づいた画像認識処理を行うことによって、各画像データファイルに係る画像の撮影時における周辺環境を判断する環境判断ステップと、前記読み出しステップにおいて読み出された前記一又は複数の画像データファイルを、前記環境判断ステップにおいて判断された周辺環境又はその組合せに基づいて一又は複数のグループに分類する分類ステップとを備えている。さらに、本発明のプリント注文受付方法は、前記読み出しステップにおいて読み出された前記一又は複数の画像データファイルに係る一又は複数の画像のうち、ディスプレイへの表示が望まれる又は望まれない画像の撮影時における一又は複数種類の周辺環境又はその組合せに係る複数の選択肢のうちの少なくともいずれか１つの入力を受け付ける周辺環境入力受付ステップと、前記一又は複数のグループの中から、前記周辺環境入力受付ステップにおいて入力された一又は複数の選択肢に適合した又は適合しないグループを抽出する抽出ステップと、前記抽出ステップにおいて抽出されたグループに含まれる画像データファイルに係る画像を含む注文画面を前記ディスプレイに表示する注文画面表示ステップとを備えている。
【０００７】
これらの構成によると、読み出し部によって読み出された一又は複数の画像データファイルのうち、画像の撮影時の周辺環境又はその組合せが、プリント注文受付装置の操作者がディスプレイに表示することを望む画像の周辺環境又はその組合せに一致する画像データファイルの画像が、ディスプレイに表示される。そして、操作者は、ディスプレイに表示された画像に対して注文情報を入力する。したがって、プリント注文受付装置の操作者の一人当たりの占有時間を短縮することができる。
【０００８】
本発明のプリント注文受付装置は、前記分類手段が分類した一又は複数のグループと同様に分類されたグループについての周辺環境及びその組合せに係る複数の選択肢を含む周辺環境選択画面を前記ディスプレイに表示させる選択画面表示制御手段をさらに備えていてもよい。この構成によると、プリント注文受付装置の操作者は、周辺環境選択画面に表示された選択肢を選択することで、ディスプレイへの表示を望む又は望まない画像の周辺環境又はその組合せを、容易に選択することができる。
【０００９】
本発明のプリント注文受付装置は、前記選択画面表示制御手段が、各選択肢に対応した複数のアイコンを含む前記周辺環境選択画面を前記ディスプレイに表示させることが好ましい。この構成によると、プリント注文受付装置の操作者は、周辺環境選択画面に表示されたアイコンを選択することで、ディスプレイへの表示を望む又は望まない画像の周辺環境又はその組合せを、さらに容易に選択することができる。
【００１０】
本発明のプリント注文受付装置は、前記分類手段が前記読み出し部によって読み出された前記一又は複数の画像データファイルを一又は複数のグループに分類する際に用いる周辺環境又はその組合せを指定する指定手段と、前記指定手段が指定する周辺環境又はその組合せを書き換える書換手段とをさらに備えていてもよい。この構成によると、指定手段が指定する周辺環境又はその組合せを変更することで、分類手段による画像データファイルの分類を効率良く行うことが可能となる。
【００１１】
本発明のプリント注文受付装置は、注文の完了が指示されたかを確認する確認手段をさらに備えており、注文の完了が指示されたと前記確認手段が確認するまで、前記周辺環境入力手段が選択肢を複数回入力可能であり、前記周辺環境入力手段が選択肢を入力するごとに、前記抽出手段がグループを抽出することが好ましい。この構成によると、注文画面表示制御手段によってディスプレイに表示される画像を複数回変更することができる。
【００１２】
本発明のプリント注文受付装置は、前記読み出し部によって読み出された画像データファイルに対して、前記周辺環境判断手段によって判断された周辺環境又はその組合せに基づいて画像処理を施す画像処理手段をさらに備えていてもよい。この構成によると、例えば、周辺環境判断手段が屋内で撮影された画像であると判断した画像データファイルを画面全体に明るくする等、適宜補正を施すことができる。
【００１３】
本発明のプリント注文受付装置は、前記周辺環境判断手段によって判断された周辺環境又はその組合せに基づいて、前記読み出し部によって読み出された画像データファイルに係る画像と合成するためのテンプレート画像データファイルを複数のテンプレート画像データファイルの中から選択するテンプレート選択手段をさらに備えていてもよい。この構成によると、例えば、周辺環境判断手段によって郊外で撮影された画像であると判断された画像データファイルに係る画像に対して、郊外にある花や動物のテンプレートを合成することができる。
【発明を実施するための最良の形態】
【００１４】
以下、本発明の好適な一実施の形態について、図面を参照しつつ説明する。図１は、本発明の実施の形態に係るプリント注文受付装置を備えたプリントシステムの概略構成を示す図である。
【００１５】
図１に示すように、プリントシステム１は、顧客から写真プリントの注文を受け付ける２台のプリント注文受付装置１０１と、写真プリントを作成する写真処理装置２０１とを備えている。なお、本実施の形態のプリント注文受付装置１０１では、ＣＤ−Ｒへの書き込みの注文も受け付ける。また、本実施の形態のプリントシステム１は、ＤＰ店の既設の写真処理装置２０１に、イーサネット（登録商標）ケーブル３１０及びハブ３２０を含むデータ伝送ネットワーク３０１により、２台のプリント注文受付装置１０１を接続することによって構築されたものである。
【００１６】
プリントシステム１では、顧客が、持参したデジタルカメラで撮影された画像データファイルを保存したスマートメディア、コンパクトフラッシュ（登録商標）、メモリスティック（登録商標）や、個人で画像データファイルを保存したＣＤ−Ｒ、ＭＯ等の記録媒体（以降、まとめて「メディア」と称する）をプリント注文受付装置１０１にセットすると、プリント注文受付装置１０１が、セットされたメディアから画像データファイルを読み出すと共に、これらの画像データファイル及びこれらの画像データファイルに対して顧客が入力したプリントサイズ、プリント枚数、及補正値（後で詳述する）等の注文情報を写真処理装置２０１に送信し、写真処理装置２０１が、プリント注文受付装置１０１から受信した画像データファイル及び注文情報に基づいて写真プリントを作成する。
【００１７】
プリント注文受付装置１０１は、図２に示すように、プリント注文受付装置１０１を制御するコントローラ１２０を格納する筐体１１０と、筐体１１０の上面に配置されており、プリント注文受付装置１０１に関する様々な情報を表示して操作者（顧客）に告知するディスプレイ１４０とを備えている。ディスプレイ１４０の表面には、注文情報等を入力するためのタッチパネル１４１が形成されている。また、筐体１１０の前面（図２における紙面左手前側の面）には、各種メディアにそれぞれ対応する複数のメディアドライブ１５０が設けられている。メディアドライブ１５０は、セットされたメディアに記録された画像データファイルを読み出す。さらに、筐体１１０の上面には、受付証を印字する受付証印字プリンタ１６０が設けられている。
【００１８】
ここで、図３に、コントローラ１２０の主要部の構成を示す。図３に示すように、コントローラ１２０には、データ伝送ネットワーク３０１に接続するためのネットワークインターフェイス１３９が接続されている。また、コントローラ１２０は、画像データ記憶部１２１、判断基準記憶部１２２、環境判断部１２３、分類部１２４、指定部１２５、抽出部１２６、表示画像記憶部１２７、表示制御部１２８、注文情報記憶部１２９、顧客情報記憶部１３０、分類項目書換部１３１、注文情報書換部１３２、確認部１３３、及び送信部１３４、画像処理部１３５、テンプレート記憶部１３６、及びテンプレート選択部１３７を有している。
【００１９】
画像データ記憶部１２１は、メディアドライブ１５０によって顧客が持参したメディアから読み出された複数の画像データファイルを記憶する。
【００２０】
判断基準記憶部１２２には、画像の撮影時における周辺環境を判断するための基準となる複数種類の周辺環境判断基準が記憶されている。なお、本実施の形態では、判断基準記憶部１２２には、５種類の周辺環境判断基準が記憶されていることとする。１つ目の周辺環境判断基準は、画像の周辺環境が屋外であることを判断するための基準であり、具体的には、空色に対応する青色画素が所定数以上含まれていることである。２つ目は、画像の周辺環境が車内であることを判断するための基準であり、具体的には、ハンドルやスピードメータ等の車内装備が写っていることである。３つ目は、画像の周辺環境が郊外であることを判断するための基準であり、山の色に対応する緑色画素が所定数以上含まれていることである。４つ目は、画像の周辺環境が晴れであることを判断するための基準であり、画像の明度が所定値以上であることである。５つ目は、画像の周辺環境が雪であることを判断するための基準であり、雪の色に対応する白色画素が所定数以上含まれていることである。
【００２１】
環境判断部１２３は、画像データ記憶部１２１に記憶された画像データファイルに対して、判断基準記憶部１２２に記憶されている周辺環境判断基準に基づいた画像認識処理を行い、各画像データファイルに係る画像の撮影時における周辺環境を判断する。なお、本実施の形態では、判断基準記憶部１２２には、上述のような５つの周辺環境判断基準が記憶されているので、例えば、画像認識処理を行った結果、青色画素及び緑色画素がそれぞれ所定数以上含まれていると共に、明度が所定値以上であった画像データファイルは、周辺環境が郊外且つ晴れの画像であると判断される。また、例えば、青色画素が所定数よりも少なく、且つ車内装備が写っていると認識された画像データファイルは、周辺環境が車内の画像であると判断される。
【００２２】
分類部１２４は、画像データ記憶部１２１に記憶された画像データファイルを、環境判断部１２３で判断された周辺環境又はその組合せが共通の画像データファイルだけが含まれ、且つ含まれる画像データファイルの周辺環境又はその組合せが互いに異なる複数のグループに分類する。ここで、分類部１２４で行われる分類処理の手順を示すフローチャートである図６を参照しつつ、分類部１２４で行われる処理について、より詳細に説明する。なお、図６に示すフローチャートは、後で詳述する指定部１２５が、画像の周辺環境が屋内か否か、車内か否か、郊外であるか、晴れであるか、及び雪であるかの５項目に基づいて分類処理を行うように指定した場合の手順を示している。
【００２３】
まず、画像データ記憶部１２１に記憶された画像データファイルを、環境判断部１２３によって周辺環境が屋外であると判断された画像データファイルのグループ（屋外画像グループ）と、それ以外の画像データファイルのグループ（屋内画像グループ）とに分類する（ステップＳ４０１／以降、「屋内／屋外画像分類処理」と称する場合がある）。次に、ステップ４０１において屋内画像グループに分類された画像データファイルを、環境判断部１２３によって周辺環境が車内であると判断された画像データファイル（車内画像グループ）と、それ以外の画像データファイル（室内画像グループ）とに分類する（ステップＳ４０２／以降、「車内／室内画像分類処理」と称する場合がある）。
【００２４】
続いて、ステップＳ４０１において屋外画像グループに分類された画像データファイルを、環境判断部１２３によって周辺環境が郊外であると判断された画像データファイル（郊外画像グループ）と、それ以外の画像データファイル（街中画像グループ）とに分類する（ステップＳ４０３／以降、「郊外／街中画像分類処理」と称する場合がある）。その後、ステップＳ４０３において郊外画像グループと街中画像グループとに分類された画像データファイルを、さらに、環境判断部１２３によって周辺環境が晴れであると判断された画像データファイル（郊外／晴れ画像グループ及び街中／晴れ画像グループ）と、それ以外の画像データファイル（郊外／雨・曇り画像グループ及び街中／雨・曇り画像グループ）とに分類する（ステップＳ４０４／以降、「晴れ／雨・曇り画像分類処理」と称する場合がある）。
【００２５】
次いで、ステップＳ４０４において、郊外／晴れ画像グループ、街中／晴れ画像グループ、郊外／雨・曇り画像グループ、及び街中／雨・曇り画像グループに分類された画像データファイルの中から、さらに、環境判断部１２３によって周辺環境が雪であると判断された画像データファイルをそれぞれ分類する（ステップＳ４０５／以降「雪画像分類処理」と称する場合がある）。
【００２６】
以上のように、本実施の形態では、分類部１２４は、画像データファイル記憶部１２１に記憶されている画像データファイルに対して、屋内／屋外画像分類処理、車内／室内画像分類処理、郊外／街中画像分類処理、晴れ／雨・曇り画像分類処理、及び雪画像分類処理の５つの分類処理を施すことによって、最大１０個のグループに分類することができる。
【００２７】
指定部１２５は、分類部１２４が画像データファイルの分類を行う際に用いる周辺環境の項目を指定する。なお、本実施の形態では、デフォルトで、指定部１２５は、画像の周辺環境が屋内か否か、車内か否か、郊外であるか、晴れであるか、及び雪であるかの５項目に基づいて分類処理を行うように指定する。
【００２８】
なお、分類部１２４では、屋内／屋外画像分類処理は必ず行われるが、その他の車内／室内画像分類処理、郊外／街中画像分類処理、晴れ／雨・曇り画像分類処理、及び雪画像分類処理は省略される場合がある。例えば、指定部１２５が、画像の周辺環境が郊外であるか、及び晴れであるかの２項目に基づいて分類処理を行うように指定した場合には、分類部１２５では、屋内／屋外画像分類処理、郊外／街中画像分類処理、及び晴れ／雨・曇り画像分類処理が行われる。つまり、この場合、車内／室内画像分類処理、及び雪画像分類処理は省略される。
【００２９】
抽出部１２６は、分類部１２４によって分類された複数のグループの中から、後で詳述する周辺環境選択画面４０（図１４参照）において顧客が選択した周辺環境又はその組合せに適合するグループを抽出する。表示画像記憶部１２７は、後で詳述する注文画面５０（図１５〜図１７参照）に表示されるサムネイル画像に係る画像データファイルを記憶する。具体的には、抽出部１２６が抽出したグループに含まれる画像データファイルを記憶する。なお、本実施の形態では、表示画像記憶部１２７には、画像データファイルそのものではなく、対応する画像データファイルのファイル名が記憶されることとする。
【００３０】
表示制御部１２８は、ディスプレイ１４０に、後で詳述する初期画面１０（図９参照）、メディアセット案内画面１５（図１０参照）、サービス選択画面２０（図１１参照）、プリントサイズ選択画面２５（図１２参照）、分類項目選択画面３０（図１３参照）、周辺環境選択画面４０（図１４参照）、注文画面５０（図１５〜図１７参照）、テンプレート選択画面６０（図１８参照）、名前入力画面７０（図１９参照）、注文内容確認画面７５（図２０参照）、及び受付証発行画面８０（図２１参照）を表示する。また、表示制御部１２８は、後で詳述する８コマのサムネイル画像を含む注文画面５０を、表示画像記憶部１２７にファイル名が記憶されている複数の画像データファイルに係る複数のサムネイル画像のうち、未だディスプレイ１４０に表示されていないサムネイル画像を含む別の注文画面５０に切り換える。
【００３１】
注文情報記憶部１２９は、顧客がタッチパネル１４１を用いて入力した各画像データファイルに対する注文情報を記憶する。注文情報記憶部１２９は、顧客が注文する写真プリントのサイズを記憶するプリントサイズ記憶部１２９ａと、画像データ記憶部１２１に記憶されている複数の画像データファイルに係る複数の画像のプリント枚数をそれぞれ記憶するプリント枚数記憶部１２９ｂと、各画像データファイルのＲ（赤）、Ｇ（緑）、Ｂ（青）の各色及び濃度の補正値をそれぞれ記憶する補正値記憶部１２９ｃと、画像データ記憶部１２１に記憶されている複数の画像データファイルのうち、後述するＣＤ−Ｒドライブ２６１にセットされているＣＤ―Ｒにどの画像データファイルを書き込むかを記憶する書き込み画像記憶部１２９ｄと、画像データ記憶部１２１に記憶されている画像データファイルに係る画像と合成するテンプレート画像データファイルを記憶する合成テンプレート記憶部１２９ｅとを有している。なお、本実施の形態では、プリントサイズ記憶部１２９ａには、デフォルトでＬ版サイズでプリントされるように記憶されている。プリント枚数記憶部１２９ｂには、デフォルトで各画像が１枚ずつプリントされるように記憶されている。補正値記憶部１２９ｃには、デフォルトでいずれの補正値もゼロと記憶されている。書き込み画像記憶部１２９ｄには、デフォルトでどの画像データファイルもＣＤ−Ｒに書き込みされないように記憶されている。加えて、書き込み画像記憶部１２９ｄには、分類部１２４によって分類された複数のグループに含まれる画像データファイル同士を紐付ける紐付けデータが記憶されることとする。さらに、合成テンプレート記憶部１２９ｅには、デフォルトでいずれの画像データファイルにもテンプレートが合成されないように記憶されている。顧客情報記憶部１３０は、図１９に示す名前入力画面７０で顧客が入力した名前を記憶する。
【００３２】
分類項目書換部１３１は、分類部１２４が画像データファイルを分類する際に指定部１２５が指定する周辺環境の項目を、図１３に示す分類項目選択画面３０で顧客が入力した項目に書き換える。
【００３３】
注文情報書換部１３２は、プリントサイズ書換部１３２ａと、プリント枚数書換部１３２ｂと、補正値書換部１３２ｃと、書き込み画像書換部１３２ｄとを有している。プリントサイズ書換部１３２ａは、プリントサイズ記憶部１２９ａに記憶されているプリントサイズを、図１２に示すプリントサイズ選択画面２５で顧客が選択したプリントサイズに書き換える。プリント枚数書換部１３２ｂは、プリント枚数記憶部１２９ｂに記憶されている各画像のプリント枚数を、図１５、図１６に示す注文画面５０で各画像に対して顧客が入力したプリント枚数に書き換える。補正値書換部１３２ｃは、補正値記憶部１２９ｃに記憶されている各画像データファイルの補正値を、図１５〜図１７に示す注文画面５０で各画像に対して顧客が入力した補正値に書き換える。書き込み画像書換部１３２ｄは、書き込み画像記憶部１２９ｄの記憶内容を、図１７に示す注文画面３０で顧客が選択した画像に係る画像データファイルがＣＤ−Ｒに書き込まれるように書き換える。
【００３４】
確認部１３３は、注文の完了が顧客によって指示されたことを確認する。具体的には、確認部１３３は、後で詳述する注文内容確認画面７５（図２０参照）に表示されるＯＫボタン７６が顧客に操作されたことを確認する。
【００３５】
送信部１３４は、上述の確認部１３３によって注文の完了が確認された後、プリント枚数記憶部１２９ｂに記憶されているプリント枚数が１枚以上である画像データファイルまたは書き込み画像記憶部１２９ｄにＣＤ−Ｒに書き込むように記憶されている画像データファイル、及び当該画像データファイルに対して顧客が入力した注文情報（以降、まとめて「出力情報」と称する）を写真処理装置２０１に送信する。
【００３６】
画像処理部１３５は、画像データ記憶部１２１に記憶されている画像データファイルに対して、環境判断部１２３によって判断された周辺環境又はその組合せに基づいて画像処理を施す。例えば、環境判断部１２３によって、周辺環境が屋内であると判断された画像データファイルには、当該画像データファイルに係る画像が明るくなるように補正する。なお、本実施の形態では、画像処理部１３５は、抽出部１２６によって抽出された画像データファイルにのみ画像処理を行うこととする。
【００３７】
テンプレート記憶部１３６は、画像データファイルに係る画像に合成することができるテンプレート画像データファイルを多数記憶している。テンプレート選択部１３７は、環境判断部１２３によって判断された周辺環境又はその組合せに基づいて、画像データ記憶部１２１に記憶されている画像データファイルと合成するためのテンプレート画像データファイルを、テンプレート記憶部１３６に記憶された多数のテンプレート画像データファイルの中から選択する。具体的には、テンプレート選択部１３７は、環境判断部１２３によって周辺環境が郊外であると判断された画像データファイルに合成するテンプレートとして、郊外に関連するテンプレート、例えば、郊外にある花や動物等のテンプレートを選択する。
【００３８】
次に、図４を参照しつつ、写真処理装置２０１の概略構成について説明する。図４に示すように、写真処理装置２０１は、インターフェイス部２１０と、フィルムスキャナ２２０と、コントローラ２３０と、プリンタプロセッサ２５０とを有している。
【００３９】
インターフェイス部２１０では、写真処理装置２０１とそれを操作するオペレータとの間の情報のやり取りが行われる。インターフェイス部２１０は、写真処理装置２０１に関する様々な情報を表示してオペレータに告知するディスプレイ２１１と、オペレータが写真処理装置２０１に対して指示を与えるキーボード２１２やマウス２１３からなる入力デバイスとを有している。
【００４０】
フィルムスキャナ２２０は、写真フィルムを副走査方向（図４において矢印Ａで示す方向）に一定速度で搬送するフィルムキャリア２２１と、フィルムキャリア２２１によって搬送される写真フィルムに光を照射する光源２２２と、写真フィルムを透過した光を受光するように配置されており、写真フィルムのコマ画像を光電変換するためのＣＣＤラインセンサユニット２２６と、ＣＣＤラインセンサユニット２２６の出力信号を処理する図示しない処理回路とを有している。
【００４１】
ＣＣＤラインセンサユニット２２６は、約５０００個の受光部を写真フィルムの幅方向に配列したＣＣＤラインセンサを３列に並べて備えており、各ＣＣＤラインセンサの受光面にはそれぞれ赤色、緑色、青色のカラーフィルタが形成されて、写真フィルムのコマ画像を色分解して検出する。処理回路は、ＣＣＤラインセンサユニット２２６の出力アナログ信号を増幅した後Ａ／Ｄ変換を行って出力する。従って、フィルムスキャナ２２０では、フィルムキャリア２２１に写真フィルムがセットされると、搬送される写真フィルム上のコマ画像が順次読み取られて、赤色、緑色、青色毎のデジタル画像データファイルがコントローラ２３０に対して送信される。
【００４２】
コントローラ２３０では、写真処理装置２０１の制御が行われる。コントローラ２３０には、データ伝送ネットワーク３０１に接続するためのネットワークインターフェイス２４９が接続されている。さらに、コントローラ２３０には、ＣＤ−Ｒ（Compact Disc-Recordable：１度だけ書き込み可能な追記型ＣＤ）に対してデータの読み書きを行うＣＤ−Ｒドライブ２６１が接続されている。
【００４３】
ここで、図５に、コントローラ２３０の主要部の構成を示す。図５に示すように、コントローラ２３０は、データ前処理部２３１、画像データ記憶部２３２、注文情報記憶部２３３、画像処理部２３４、搬送制御部２３５、切断制御部２３６、露光制御部２３７、及び書き込み制御部２３８を有している。
【００４４】
データ前処理部２３１は、プリント注文受付装置１０１から受信した出力情報を、画像データファイルと注文情報とに区分けすると共に、画像データファイルを画像データ記憶部２３２に転送し、注文情報を注文情報記憶部２３３に転送する。画像データ記憶部２３２は、データ前処理部２３１から転送された画像データファイルを記憶する。注文情報記憶部２３３は、データ前処理部２３１から転送された注文情報を記憶する。
【００４５】
画像処理部２３４は、画像データ記憶部２３２に記憶されている画像データファイルに対して、必要に応じてプリントサイズに合致した画像サイズに変換するための処理や鮮鋭化処理などの各種の画像処理を施す。また、画像データ記憶部２３２に記憶されている画像データファイルに係る画像とテンプレートとの合成を行う。
【００４６】
搬送制御部２３５は、注文情報記憶部２３３に記憶されている注文情報通りに写真プリントが作成されるように、後述する搬送ローラ対２５５の動作を制御する。切断制御部２３６は、注文情報記憶部２３３に記憶されている注文情報通りに写真プリントが作成されるように、後述するカッター２５６の動作を制御する。露光制御部２３７は、画像処理部２３４によって画像処理が施された画像データファイルに係る画像の潜像が印画紙に形成されるように、後述する露光ユニット２５８を制御する。書き込み制御部２３８は、画像処理部２３４によって画像処理が施された画像データファイルがＣＤ−Ｒに書き込まれるようにＣＤ−Ｒドライブ２６１を制御する。
【００４７】
プリンタプロセッサ２５０は、コントローラ２３０から送信された画像処理済みの画像データファイルに基づいて、印画紙に対して露光を行うプリンタ２５１と、露光済みの印画紙に対して現像、漂白、安定化などの処理が施されるプロセッサ２５２と、プロセッサ２５２から排出された印画紙を乾燥させる仕上げ処理部２５３とを有している。
【００４８】
プリンタ２５１は、印画紙を収納するペーパーマガジン２５４と、印画紙をペーパーマガジン２５４から引き出しつつ搬送する複数の搬送ローラ対２５５と、搬送ローラ対２５５によって搬送される印画紙をプリントサイズにカットするカッター２５６と、カッター２５６によってカットされた印画紙に対して露光処理を施し、画像処理部２３４によって画像処理が施された画像データファイルに対応する画像の潜像を形成する露光ユニット２５８とを有している。なお、露光ユニット２５８は、例えばレーザ露光方式、ＰＬＺＴ方式、ＣＲＴ方式など適宜のものを採用することができる。
【００４９】
そして、プリンタ２５１において潜像が形成された印画紙は、プロセッサ２５２を経て仕上げ処理部２５３へと搬送され、仕上がりの写真プリントとして排出される。
【００５０】
なお、本実施の形態の写真処理装置２０１では、データ伝送ネットワーク３０１によって接続されている２台のプリント注文受付装置１０１からそれぞれ送信される画像データファイルのプリント処理を並列して行うことができる。また、２台のプリント注文受付装置１０１からそれぞれ信される画像データファイルのプリント処理に加えて、フィルムスキャナ２２０から送信される画像データファイルのプリント処理を並列して行うこともできる。
【００５１】
ここで、本実施の形態のプリントシステム１において、写真プリントを作成する手順について説明する。まず、図７及び図８を用いて、プリント注文受付装置１０１における処理手順について説明する。図７は、プリント注文受付装置１０１において写真プリントの注文を受け付ける手順を示すフローチャートである。図８は、図７に示すフローチャート中に行われる割り込み処理の手順を示すフローチャートである。
【００５２】
まず、表示制御部１２８によって、ディスプレイ１４０に、図９に示すような初期画面１０が表示される（ステップＳ１０１）。初期画面１０には、図９に示すように、写真プリントの注文を希望する顧客に対して、タッチパネル１４１となっているディスプレイ１４０の画面に触れるように促すメッセージが表示される。そして、顧客がディスプレイ１４０の画面に触れたか否かが判断される（ステップＳ１０２）。
【００５３】
顧客がディスプレイ１４０の画面に触れていないと判断された場合には（ステップＳ１０２：ＮＯ）、ディスプレイ１４０の画面に触れたと判断されるまで、ステップＳ１０２の判断が繰り返される。一方、顧客がディスプレイ１４０の画面に触れたと判断された場合には（ステップＳ１０２：ＹＥＳ）、表示制御部１２８によって、ディスプレイ１４０に、図１０に示すようなメディアセット案内画面１５が表示される（ステップＳ１０３）。メディアセット案内画面１５には、図１０に示すように、顧客に対して、持参したメディアをメディアドライブ１５０にセットし、画面右下に表示されているＯＫボタン１６を押すように促すメッセージが表示される。
【００５４】
その後、後で詳述する割り込み処理が開始される（ステップＳ１０４）。引き続いて、メディアセット案内画面１５のＯＫボタン１６が操作されたか否かが判断される（ステップＳ１０５）。ＯＫボタン１６が操作されていないと判断された場合には（ステップＳ１０５：ＮＯ）、ＯＫボタン１６が操作されたと判断されるまで、ステップＳ１０５の判断が繰り返される。一方、ＯＫボタン１６が操作されたと判断された場合には（ステップＳ１０５：ＹＥＳ）、メディアドライブ１５０によって、セットされたメディアに記録された画像データファイルが読み出される（ステップＳ１０６）。
【００５５】
続いて、表示制御部１２８によって、ディスプレイ１４０に、図１１に示すようなサービス選択画面２０が表示される（ステップＳ１０７）。サービス選択画面２０には、図１１に示すように、写真プリントの作成を指示するプリント選択ボタン２１と、ＣＤ−Ｒへの書き込みを指示する書き込み選択ボタン２２とが表示される。
【００５６】
ここで、書き込み選択ボタン２２が操作されたか否かが判断される（ステップＳ１０８）。書き込み選択ボタン２２が操作されたと判断された場合には（ステップＳ１０８：ＹＥＳ）、後述するステップＳ１０９〜ステップＳ１１２を省略して、ステップＳ１１３に進む。また、書き込み選択ボタン２２が操作されなかったと判断された場合には（ステップＳ１０８：ＮＯ）、プリント選択ボタン２１が操作されたか否かが判断される（ステップＳ１０９）。プリント選択ボタン２１が操作されなかったと判断された場合には（ステップＳ１０９：ＮＯ）、ステップＳ１０８に戻って、書き込み選択ボタン２２が操作されたか否かの判断が再び行われる。
【００５７】
一方、プリント選択ボタン２１が操作されたと判断された場合には（ステップＳ１０９：ＹＥＳ）、表示制御部１２８によって、ディスプレイ１４０に、図１２に示すようなプリントサイズ選択画面２５が表示される（ステップＳ１１０）。プリントサイズ選択画面２５には、図１２に示すように、Ｌ版、２Ｌ版、六つ切の３つのプリントサイズの大きさ、単価、基本料金がそれぞれ表示される。また、Ｌ版選択ボタン２６、２Ｌ版選択ボタン２７、及び六つ切選択ボタン２８が表示される。
【００５８】
続いて、Ｌ版選択ボタン２６、２Ｌ版選択ボタン２７、または六つ切選択ボタン２８のいずれか１つが操作され、プリントサイズが選択されたか否かが判断される（ステップＳ１１１）。プリントサイズが選択されていないと判断された場合には（ステップＳ１１１：ＮＯ）、プリントサイズが選択されたと判断されるまで、ステップＳ１１１の判断が繰り返される。一方、プリントサイズが選択されたと判断された場合には（ステップＳ１１１：ＹＥＳ）、プリントサイズ書換部１３２ａによって、プリントサイズ記憶部１２９ａに記憶されているプリントサイズが選択されたプリントサイズに書き換えられる（ステップＳ１１２）。
【００５９】
その後、メディアから読み出された複数の画像データファイルが、画像データ記憶部１２１に記憶される（ステップＳ１１３）。さらに、環境判断部１２３によって、画像データ記憶部１２１に記憶されている各画像データファイルに係る画像の撮影時の周辺環境が判断される（ステップＳ１１４）。
【００６０】
続いて、表示制御部１２８によって、ディスプレイ１４０に、図１３に示すような分類項目選択画面３０が表示される（ステップＳ１１５）。分類項目選択画面３０には、図１３に示すように、画像データファイルを屋内で撮影された画像と屋外で撮影された画像とに分類するための屋内／屋外分類ボタン３１と、車内で撮影された画像と室内で撮影された画像とに分類する車内／室内分類ボタン３２と、郊外で撮影された画像と街中で撮影された画像とに分類する郊外／街中分類ボタン３３と、晴れの日に撮影された画像と、雨や曇りの日に撮影された画像とに分類する晴れ／雨・曇り分類ボタン３４と、雪景色の中で撮影された画像を分類する雪分類ボタン３５とが表示される。また、分類項目選択画面３０の右下には、ＯＫボタン３６が表示される。分類項目選択画面３０において、顧客は、５つのボタン３１〜３５の中から複数選択することができる。なお、本実施の形態では、図１３に示すように、郊外／街中分類ボタン３３と、晴れ／雨・曇り分類ボタン３４とが選択された場合について説明することとする。
【００６１】
ここで、ＯＫボタン３６が操作されたか否かが判断される（ステップＳ１１６）。ＯＫボタン３６が操作されたと判断されなかった場合には（ステップＳ１１６：ＮＯ）、ＯＫボタン３６が操作されたと判断されるまで、繰り返しステップＳ１１６での判断が行われる。また、ＯＫボタン３６が操作されたと判断された場合には（ステップＳ１１６：ＹＥＳ）、分類項目書換部１３１によって、分類部１２４が画像データファイルを分類する際に指定部１２５が指定する周辺環境の項目が、分類項目選択画面３０で顧客が選択した項目に書き換えられる（ステップＳ１１７）。その後、分類部１２４によって、分類項目選択画面３０で選択された周辺環境の項目に基づいて、上述の分類処理（図６参照）が行われる（ステップＳ１１８）。
【００６２】
次いで、表示制御部１２８によって、ディスプレイ１４０に、図１４に示すような周辺環境選択画面４０が表示される（ステップＳ１１９）。周辺環境選択画面４０には、ステップＳ１１８で行われた分類処理によって分類された複数のグループと同様に分類されたグループの周辺環境又はその組合せに係る選択肢に対応するアイコンが表示される。本実施の形態では、ステップＳ１１８において、室内／室外画像分類処理、郊外／街中画像分類処理、及び晴れ／雨・曇り画像分類処理が行われるので、図１４に示すように、周辺環境選択画面４０には、郊外／晴れ画像グループアイコン４１、郊外／雨・曇り画像グループアイコン４２、街中／晴れ画像グループアイコン４３、及び街中／雨・曇り画像グループアイコン４４が表示される。また、周辺環境選択画面４０には、各グループに含まれる画像データファイルの数がそれぞれ表示される。さらに、周辺環境選択画面４０の右下には、ＯＫボタン４５が表示される。周辺環境選択画面４０において、顧客は、４つのアイコン４１〜４４の中から複数選択することが可能である。
【００６３】
ここで、ＯＫボタン４５が操作されたか否かが判断される（ステップＳ１２０）。ＯＫボタン４５が操作されたと判断されなかった場合には（ステップＳ１２０：ＮＯ）、ＯＫボタン４５が操作されたと判断されるまで、ステップＳ１２０での判断が繰り返し行われる。そして、ＯＫボタン４５が操作されたと判断された場合には（ステップＳ１２０：ＹＥＳ）、抽出部１２６によって、ステップＳ１１８において複数に分類されたグループの中から、周辺環境選択画面４０において顧客が選択したアイコンに対応する周辺環境又はその組合せに適合するグループが抽出される（ステップＳ１２１）。このとき、抽出部１２６によって抽出されたグループに含まれる画像データファイルのファイル名が、表示画像記憶部１２７に記憶される。その後、画像処理部１３５が、抽出部１２６によって抽出された画像データファイルに対して、当該画像データファイルの周辺環境又はその組合せに基づいて画像処理を行う（ステップＳ１２２）。
【００６４】
次いで、表示制御部１２８によって、ディスプレイ１４０に、図１５に示すような注文画面５０が表示される（ステップＳ１２３）。注文画面５０には、図１５に示すように、表示画像記憶部１２７にファイル名が記憶されている画像データファイルに係るサムネイル画像のうちの８コマ分のサムネイル画像と各サムネイル画像のプリント枚数とが表示される。また、各サムネイル画像のプリント枚数を増加させる増加ボタン５１及び減少させる減少ボタン５２が表示される。さらに、注文画面５０の左上には、各サムネイル画像に係る画像データファイルに対して、Ｒ、Ｇ、Ｂの各色及び濃度の補正値をそれぞれ増加させる増加ボタン５３ａ、５３ｂ、５３ｃ、５３ｄ、及び減少させる減少ボタン５４ａ、５４ｂ、５４ｃ、５４ｄが表示されている。なお、補正値を入力する際には、まず、タッチパネル１４１の補正値を入力するサムネイル画像が表示されている部分に触れる。このとき、触れられた画像は、図１５の注文画面５０の左上のサムネイル画像のように、選択された状態となる。この状態で、増加ボタン５３ａ〜５３ｄまたは減少ボタン５４ａ〜５４ｄを操作することによって補正値を入力することができる。そして、注文画面５０の右上には、テンプレートボタン５８が表示される。テンプレートを合成したいサムネイル画像を選択した状態でテンプレートボタン５８を操作すると、後で詳述するテンプレート選択画面６０（図１８参照）が表示される。加えて、注文画面５０の右下には、注文画面５０を、表示画像記憶部１２７にファイル名が記憶されている画像データファイルに係るサムネイル画像のうち、未だディスプレイ１４０に表示されていないサムネイル画像を含む別の注文画面５０に切り換えるための切換ボタン５５が表示される。
【００６５】
また、表示画像記憶部１２７にファイル名が記憶されている画像データファイルに係るサムネイル画像のうち、未だディスプレイ１４０に表示されていないサムネイル画像が８コマ以下である場合には、図１６に示すような最終ページの注文画面５０が表示される。注文画面５０の最終ページには、図１５に示す（最終ページでない）注文画面５０と同様に、サムネイル画像（８コマ以下）と、各サムネイル画像のプリント枚数と、プリント枚数を増減させる増加ボタン５１及び減少ボタン５２と、補正値を増減させる増加ボタン５３ａ〜５３ｄ及び減少ボタン５４ａ〜５４ｄと、テンプレートボタン５８とが表示される。さらに、最終ページの注文画面５０の右下には、図１６に示すように、ＯＫボタン５６が表示される。
【００６６】
なお、上述のステップＳ１０８において、ＣＤ−Ｒへの書き込みサービスが選択された場合には、図１７に示すような書き込みサービス用の注文画面５０が表示される。書き込みサービス用の注文画面５０には、図１５に示す（プリントサービス用の）注文画面５０と同様に、８コマのサムネイル画像と、補正値を増減させる増加ボタン５３ａ〜５３ｄ及び減少ボタン５４ａ〜５４ｄと、テンプレートボタン５８と、切り換えボタン５５とが表示される。また、書き込みサービス用の注文画面５０には、各サムネイル画像に係る画像データファイルをＣＤ−Ｒに書き込むか否かを選択する書き込み選択ボタン５７が表示される。さらに、書き込みサービス用の注文画面５０の最終ページ（図示せず）には、図１７に示す（最終ページでない）注文画面５０の切り換えボタン５５に対応する位置に、ＯＫボタンが表示される。
【００６７】
続いて、増加ボタン５１または減少ボタン５２が操作されて、プリント枚数が入力されたか否かが判断される（ステップＳ１２４）。プリント枚数の入力が行われていないと判断された場合には（ステップＳ１２４：ＮＯ）、後述するステップＳ１２５を省略してステップＳ１２６に進む。一方、プリント枚数の入力が行われたと判断された場合には（ステップＳ１２４：ＹＥＳ）、プリント枚数書換部１３２ｂによって、プリント枚数記憶部１２９ｂに記憶されているプリント枚数が入力されたプリント枚数に変更される（ステップＳ１２５）。
【００６８】
なお、ステップＳ１２３において、書き込みサービス用の注文画面５０が表示されている場合には、ステップＳ１２４では、書き込み選択ボタン５７が操作されたか否かが判断される。そして、書き込み選択ボタン５７が操作されたと判断された場合には（ステップＳ１２４：ＹＥＳ）、書き込み画像書換部１３２ｄによって、書き込み画像記憶部１２９ｄに記憶されているＣＤ−Ｒへの書き込み画像がステップＳ１２４で選択された画像に変更される（ステップＳ１２５）。
【００６９】
次いで、増加ボタン５３ａ〜５３ｄまたは減少ボタン５４ａ〜５４ｄが操作されて、補正値が入力されたか否かが判断される（ステップＳ１２６）。補正値の入力が行われていないと判断された場合には（ステップＳ１２６：ＮＯ）、後述するステップＳ１２７を省略してステップＳ１２８に進む。一方、補正値の入力が行われたと判断された場合には（ステップＳ１２６：ＹＥＳ）、補正値書換部１３２ｃによって、補正値記憶部１２９ｃに記憶されている補正値が入力された補正値に変更される（ステップＳ１２７）。
【００７０】
さらに、テンプレートボタン５８が操作されたか否かが判断される（ステップＳ１２８）。テンプレートボタン５８が操作されていないと判断された場合には（ステップＳ１２８：ＮＯ）、後述するステップＳ１２９〜ステップＳ１３３を省略して、ステップＳ１３４に進む。一方、テンプレートボタン５８が操作されたと判断された場合には（ステップＳ１２８：ＹＥＳ）、表示制御部１２８によって、ディスプレイ１４０に、図１８に示すようなテンプレート選択画面６０が表示される（ステップＳ１２９）。
【００７１】
テンプレート選択画面６０には、図１８に示すように、複数のテンプレートが表示される。テンプレート選択画面６０に表示されるテンプレートは、テンプレート選択部１３７が、顧客が注文画面５０においてテンプレートを合成する画像として選択したサムネイル画像の周辺環境及びその組合せに基づいて、テンプレート記憶部１３６に記憶されている多数のテンプレート画像データファイルの中から選択したテンプレート画像データファイルに係るテンプレートである。なお、図１８に示すテンプレート選択画面６０に表示されているテンプレートは、注文画面５０において顧客が選択した画像の周辺環境が郊外である場合のテンプレートであり、郊外にある花や動物が描かれている。また、テンプレート選択画面６０の右下にはＯＫボタン６１、左下にはキャンセルボタン６２がそれぞれ表示される。
【００７２】
続いて、顧客がテンプレート選択画面６０に表示されたテンプレートの中から１つを選択し、ＯＫボタン６１を操作したか否かが判断される（ステップＳ１３０）。ＯＫボタン６１が操作されたと判断された場合には（ステップＳ１３０：ＹＥＳ）、テンプレート選択画面６０で顧客が選択したテンプレートに係るテンプレート画像データファイルが合成テンプレート記憶部１２９ｅに記憶される（ステップＳ１３１）。その後、後述するステップＳ１３２を省略し、ステップＳ１３３に進む。一方、ＯＫボタン６１が操作されていないと判断された場合には（ステップＳ１３０：ＮＯ）、キャンセルボタン６２が操作されたか否かが判断される（ステップＳ１３２）。
【００７３】
キャンセルボタン６２が操作されていないと判断された場合には（ステップＳ１３２：ＮＯ）、ステップＳ１３０に戻って、ＯＫボタン６１が操作されたか否かの判断が再び行われる。また、キャンセルボタン６２が操作されたと判断された場合には（ステップＳ１３２：ＹＥＳ）、ディスプレイ１４０に注文画面５０（ステップＳ１２９でテンプレート選択画面６０が表示されるまで表示されていた画面）が再び表示される（ステップＳ１３３）。
【００７４】
その後、切換ボタン５５（またはＯＫボタン５６）が押されたか否かが判断される（ステップＳ１３４）。切換ボタン５５（またはＯＫボタン５６）が押されていないと判断された場合には（ステップＳ１３４：ＮＯ）、ステップＳ１２４に戻り、再びプリント枚数の入力が行われたか否かが判断される。一方、切換ボタン５５（またはＯＫボタン５６）が押されたと判断された場合には（ステップＳ１３４：ＹＥＳ）、ディスプレイ１４０に表示されている注文画面５０が最終ページであるか否かが判断される（ステップＳ１３５）。注文画面５０が最終ページでないと判断された場合には（ステップＳ１３５：ＮＯ）、注文画面５０が、表示画像記憶部１２７にファイル名が記憶された画像データファイルに係るサムネイル画像のうち、未だディスプレイ１４０に表示されていないサムネイル画像を含む別の注文画面５０に切り換えられる（ステップＳ１３６）。そして、上述のステップＳ１２４に戻り、再びプリント枚数が入力されたか否かが判断される。
【００７５】
一方、注文画面５０が最終ページであると判断された場合には（ステップＳ１３５：ＹＥＳ）、表示制御部１２８によって、ディスプレイ１４０に、図１９に示すような名前入力画面７０が表示される（ステップＳ１３７）。名前入力画面７０には、図１９に示すように、名前を入力する入力キー７１と、入力キー７１から入力された名前を表示する表示部７２とが表示される。また、名前入力画面７０の右下には、ＯＫボタン７３が表示される。
【００７６】
そして、顧客が入力キー７１を用いて名前を入力し、ＯＫボタン７３を押したか否かが判断される（ステップＳ１３８）。ＯＫボタン７３が押されていないと判断された場合には（ステップＳ１３８：ＮＯ）、ＯＫボタン７３が押されたと判断されるまで、ステップＳ１３７での判断が繰り返される。一方、ＯＫボタン７３が押されたと判断された場合には（ステップＳ１３８：ＹＥＳ）、名前入力画面７０で入力された名前が、顧客情報記憶部１３０に記憶される（ステップＳ１３９）。
【００７７】
続いて、表示制御部１２８によって、ディスプレイ１４０に、図２０に示すような注文内容確認画面７５が表示される（ステップＳ１４０）。注文内容確認画面７５には、図２０に示すように、顧客の名前、プリントサイズ、プリント枚数、料金等が表示される。また、注文内容確認画面７５の右下には、ＯＫボタン７６が表示される。
【００７８】
ここで、顧客が、注文内容確認画面７５に表示された内容を確認し、ＯＫボタン７６を押したか否かが判断される（ステップＳ１４１）。ＯＫボタン７６が押されていないと判断された場合には（ステップＳ１４１：ＮＯ）、ＯＫボタン７６が押されたと判断されるまで、ステップＳ１４１の判断が繰り返される。一方、ＯＫボタン７６が押されたと判断された場合には（ステップＳ１４１：ＹＥＳ）、送信部１３４によって、注文画面５０においてプリント枚数を１枚以上に設定された（または書き込みを行う画像に選択された）サムネイル画像に係る画像データファイルの出力情報が写真処理装置２０１に送信される（ステップＳ１４２）。なお、このとき、確認部１３３は、注文の完了が顧客によって指示されたことを確認する。
【００７９】
その後、表示制御部１２８によって、ディスプレイ１４０に、図２１に示すような受付証発行画面８０が表示される（ステップＳ１４３）。受付証発行画面８０には、図２１に示すように、顧客に対してメディアドライブ１５０からメディアを取り出すように促すメッセージと、受付証を発行していることを告知するメッセージとが表示される。続いて、受付証印字プリンタ１６０によって、受付証が発行される（ステップＳ１４４）。
【００８０】
次いで、図８を用いて、図７のフローチャートのステップＳ１０４で開始される割り込み処理の手順について説明する。ここで行われる割り込み処理は、図１０〜図１７、図１９、及び図２０に示す、メディアセット案内画面１５、サービス選択画面２０、プリントサイズ選択画面２５、分類項目選択画面３０、周辺環境選択画面４０、注文画面５０、名前入力画面７０、及び注文内容確認画面７５の右下にそれぞれ表示される戻るボタン９１と、左下にそれぞれ表示される中止ボタン９２との操作に関する処理であり、図７のフローチャートのステップＳ１０５〜ステップＳ１４１の処理と並行して行われる。
【００８１】
まず、戻るボタン９１が操作されたか否かが判断される（ステップＳ２０１）。戻るボタン９１が操作されたと判断された場合には（ステップＳ２０１：ＹＥＳ）、表示制御部１２８によって、ディスプレイ１４０に表示される画面が、直前に表示していた画面に切り換えられる（ステップＳ２０２）。具体的には、例えば、１ページ目の注文画面５０の戻るボタン９１が操作された場合には、周辺環境選択画面４０に切り換えられる。また、例えば、１ページ目でない注文画面５０の戻るボタン９１が操作された場合には、直前に表示されていた注文画面５０に切り換えられる。
【００８２】
そして、ステップＳ２０２で切り換えられた画面が、初期画面１０であるか否か判断される（ステップＳ２０３）。初期画面１０であると判断された場合には（ステップＳ２０３：ＹＥＳ）、割り込み処理が終了する。また、初期画面１０でないと判断された場合には（ステップＳ２０３：ＮＯ）、上述のステップＳ２０１に戻り、再び戻るボタン９１の操作が行われたか否かの判断が行われる。
【００８３】
一方、戻るボタン９１が操作されていないと判断された場合には（ステップＳ２０１：ＮＯ）、中止ボタン９２が操作されたか否かが判断される（ステップＳ２０４）。中止ボタン９２が操作されたと判断された場合には（ステップＳ２０４：ＹＥＳ）、表示制御部１２８によって、ディスプレイ１４０に表示される画面が、初期画面１０に切り換えられる（ステップＳ２０５）。また、中止ボタン９２が操作されなかったと判断された場合には（ステップＳ２０４：ＮＯ）、ステップＳ２０１に戻って、再び戻るボタン９１が操作されたか否かの判断が繰り返される。
【００８４】
このように、割り込み処理は、確認部１３３によって注文の完了を指示されたことが確認されるまで行われる。
【００８５】
次に、写真処理装置２０１において写真プリントの作成またはＣＤ−Ｒへの書き込みを行う手順を示すフローチャートである図２２を用いて、写真処理装置２０１における処理手順について説明する。
【００８６】
まず、プリント注文受付装置１０１から出力情報を受信する（ステップＳ３０１）。次に、出力情報が、データ前処理部２３１によって、画像データファイルと注文情報とに区分けされる（ステップＳ３０２）。そして、画像データファイルは画像データ記憶部２３２転送されると共に記憶され、注文情報は注文情報記憶部２３３に転送されると共に記憶される（ステップＳ３０３）。続いて、画像処理部２３４によって、画像データ記憶部２３２に記憶された画像データファイルに対して、各種画像処理が施される（ステップＳ３０４）。
【００８７】
ここで、注文情報記憶部２３３に記憶されている内容から、具体的には、ＣＤ−Ｒにどの画像データファイルを書き込むかが記憶されているか否かから、顧客がＣＤ−Ｒへの書き込みサービスを希望しているか否かが判断される（ステップＳ３０５）。ＣＤ−Ｒへの書き込みサービスを希望している場合には（ステップＳ３０５：ＹＥＳ）、書き込み制御部２３８によって、画像処理済みの画像データファイルが、ＣＤ−Ｒドライブ２６１にセットされたＣＤ−Ｒに書き込まれる（ステップＳ３０６）。なお、上述のように、注文情報には、分類部１２４によって分類された複数のグループに含まれる画像データファイル同士を紐付ける紐付けデータが含まれている。したがって、本実施の形態では、この紐付けデータに基づいて、１つのグループに含まれる画像データファイルが１つのデータフォルダに格納されるようにＣＤ−Ｒへの書き込みが行われる。これにより、メディアに記憶されている多数の画像データファイルを、同一の周辺環境又はその組合せで撮影された画像に係る画像データファイル毎に整理することができる。
【００８８】
一方、ＣＤ−Ｒへの書き込みサービスを希望していない場合には（ステップＳ３０５：ＮＯ）、複数の搬送ローラ対２５５によって、印画紙の搬送が開始される。（ステップＳ３０６）。次いで、カッター２５６によって、印画紙が、注文情報記憶部２３３に記憶されている注文情報に含まれるプリントサイズに切断される（ステップＳ３０８）。さらに、露光ユニット２５８によって、露光処理が施され、画像処理済みの画像データファイルに係る画像の潜像が形成される（ステップＳ３０９）。続いて、潜像が形成された印画紙が、プリンタ２５１からプロセッサ２５２に送り込まれ、現像・漂白・安定化などの処理が施される（ステップＳ３１０）。その後、画像が顕在化した印画紙が、プロセッサ２５２から仕上げ処理部２５３に送り込まれ、乾燥処理が施される（ステップＳ３１１）。そして、印画紙は、写真プリントとして写真処理装置２０１から排出される（ステップＳ３１２）。
【００８９】
以上のように、本実施の形態のプリント注文受付装置１０１及びプリント注文受付方法では、画像データ記憶部１２１に記憶されている複数の画像データファイルが、分類部１２４によって複数のグループに分類される。さらに、抽出部１２６が、分類部１２４によって分類された複数のグループから、顧客が入力した、ディスプレイ１４０に表示することを望む画像の周辺環境又はその組合せの選択肢に適合するグループを抽出する。その後、表示制御部１２８が、抽出部１２６によって抽出されたグループに含まれる画像データファイルに係るサムネイル画像をディスプレイ１４０に表示する。つまり、顧客がディスプレイ１４０に表示することを望まない周辺環境又はその組合せの画像は、ディスプレイ１４０に表示されない。そして、顧客は、ディスプレイ１４０に表示されたサムネイル画像に対して、注文情報を入力する。したがって、顧客一人当たりの占有時間を短縮することができる。
【００９０】
さらに、本実施の形態のプリント注文受付装置２０１では、表示制御部１２８が、分類部１２４が分類した複数のグループと同様に分類されたグループについての周辺環境又はその組合せに係る選択肢を含む周辺環境選択画面４０をディスプレイ１４０に表示する。したがって、顧客は、周辺環境選択画面４０に含まれる選択肢を選択することで、ディスプレイ１４０への表示を望む画像の周辺環境又はその組合せを、容易に選択することができる。
【００９１】
加えて、本実施の形態のプリント注文受付装置２０１では、表示制御部１２８が、各選択肢に対応した複数のアイコン４１〜４４を含む周辺環境選択画面４０をディスプレイ１４０に表示する。したがって、顧客は、周辺環境選択画面４０に表示されたアイコン４１〜４４を操作することで、ディスプレイ１４０への表示を望む画像の周辺環境又はその組合せを、さらに容易に選択することができる。
【００９２】
また、本実施の形態のプリント注文受付装置２０１では、分類項目書換手段１３１が、分類部１２４が画像データファイルを分類する際に指定部１２５が指定する周辺環境の項目を、分類項目選択画面３０で顧客が選択した項目に書き換える。したがって、分類部１２４による画像データファイルの分類を、顧客に好都合な項目で効率良く行うことが可能となる。
【００９３】
また、本実施の形態のプリント注文受付装置２０１は、確認部１３３によって顧客が注文の完了を指示したことが確認されるまで、戻るボタン９１を用いて、ディスプレイ１４０に表示される画面を直前に表示された画面に戻すことができる。つまり、注文の完了が確認されるまでは、周辺環境選択画面４０において、選択肢を複数回入力可能であり、抽出部１２６は、選択肢が入力されるごとに、入力された選択肢に適合するグループを抽出する。したがって、顧客は、表示制御部１２８によってディスプレイ１４０に表示される画像を複数回変更することができる。
【００９４】
さらに、本実施の形態のプリント注文受付装置２０１では、画像処理部１３５が、画像データ記憶部１２１に記憶されている画像データファイルに対して、環境判断部１２３によって判断された周辺環境又はその組合せに基づいて画像処理を施す。したがって、撮影された周辺環境に合わせて適宜補正を行うことができる。
【００９５】
また、本実施の形態のプリント注文受付装置２０１では、テンプレート選択部１３７が、環境判断部１２３によって判断された周辺環境又はその組合せに基づいて、画像データ記憶部１２１に記憶されている画像データファイルと合成するためのテンプレート画像データファイルを、多数のテンプレート画像データファイルの中から選択する。したがって、顧客は、テンプレート選択部１３７が選択した、撮影された周辺環境に関係したテンプレートの中から合成するテンプレートを選択することができる。
【００９６】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、顧客が、周辺環境選択画面４０において、ディスプレイ１４０に表示することを望む周辺環境又はその組合せに係る選択肢を入力し、抽出部１２６が、分類部１２４によって分類された複数のグループの中から、顧客が入力した選択肢に適合するグループを抽出する場合について説明したが、これに限らず、顧客が、ディスプレイ１４０に表示することを望まない周辺環境又はその組合せに係る選択肢を入力するようにし、抽出部１２６が、顧客が入力した選択肢に適合しないグループを抽出してもよい。
【００９７】
また、上述の実施の形態では、表示制御部１２８が、分類部１２４が分類した複数のグループと同様に分類されたグループの周辺環境又はその組合せに係る選択肢に対応した複数のアイコン４１〜４４を含む周辺環境選択画面４０をディスプレイ１４０に表示し、顧客がアイコン４１〜４４の中から、ディスプレイ１４０に表示することを望む画像の周辺環境又はその組合せに対応するアイコンを選択する場合について説明したが、これには限られない。例えば、周辺環境選択画面４０に、アイコン４１〜４４の代わりに、選択肢のリストが表示され、顧客が表示されたリストの中から、ディスプレイ１４０に表示することを望む画像の選択肢をキーボード等を用いて入力するようにしてもよい。さらに、周辺環境選択画面４０が表示されないようにしてもよい。
【００９８】
また、上述の実施の形態では、分類項目書換部１３１が、分類部１２４が画像データファイルを分類する際に指定部１２５が指定する周辺環境の項目を、分類項目選択画面３０で顧客が選択した項目に書き換える場合について説明したが、指定部１２５及び分類項目書換部１３１が設けられておらず、分類部１２４が常に同じ項目で画像データファイルを分類するようにしてもよい。
【００９９】
また、上述の実施の形態では、確認部１３３によって注文の完了が確認されるまでは、周辺環境選択画面４０において、選択肢を複数回入力可能であり、抽出部１２４は、選択肢が入力されるごとに、入力された選択肢に適合するグループを抽出する場合について説明したが、確認部１３３が設けられておらず、選択肢が１回のみ入力可能であってもよい。
【０１００】
加えて、上述の実施の形態では、ディスプレイ１４０の表面にタッチパネル１４１が形成されており、顧客がタッチパネル１４１に触れることによって、プリント注文受付装置に対して、指示の入力を行う場合について説明したが、プリント注文受付装置２０１への指示の入力方法はこれには限られない。例えば、キーボードやマウスを用いてプリント注文受付装置への指示の入力を行うようにしてもよい。
【０１０１】
また、上述の実施の形態では、データ伝送ネットワーク３０１により写真処理装置２０１と接続されており、写真処理装置２０１と共にプリントシステム１を構築するプリント注文受付装置１０１について説明したが、プリント注文受付装置１０１は、プリンタが内蔵された独立型のものであってもよい。
【０１０２】
また、上述の実施の形態では、画像処理部１３５が、画像データ記憶部１２１に記憶されている画像データファイルに対して、環境判断部１２３によって判断された周辺環境又はその組合せに基づいて画像処理を施す場合について説明したが、画像処理部１３５はなくてもよい。
【０１０３】
加えて、本実施の形態では、テンプレート選択部１３７が、環境判断部１２３によって判断された周辺環境又はその組合せに基づいて、画像データ記憶部１２１に記憶されている画像データファイルと合成するためのテンプレート画像データファイルを、テンプレート記憶部１３６に記憶された多数のテンプレート画像データファイルの中から選択する場合について説明したが、これには限られない。テンプレート選択部１３７は、画像の周辺環境又はその組合せ以外のものに基づいてテンプレート画像データファイルを選択してもよい。また、テンプレート選択部１３７はなくてもよい。さらに、テンプレート記憶部１３６がなく、テンプレートを合成できなくてもよい。
【図面の簡単な説明】
【０１０４】
【図１】本発明の実施の形態に係るプリント注文受付装置を備えたプリントシステムの概略構成を示す図である。
【図２】図１に示すプリント注文受付装置の概略構成を示す図である。
【図３】図２に示すコントローラの主要部の構成を示すブロック図である。
【図４】図１に示す写真処理装置の概略構成を示す図である。
【図５】図４に示すコントローラの主要部の構成を示すブロック図である。
【図６】図３に示す分類部で行われる分類処理の手順を示すフローチャートである。
【図７Ａ】図２に示すプリント注文受付装置における処理手順を示すフローチャート（前半）である。
【図７Ｂ】図２に示すプリント注文受付装置における処理手順を示すフローチャート（後半）である。
【図８】図７に示すフローチャート中で行われる割り込み処理の手順を示すフローチャートである。
【図９】図２に示すディスプレイに表示される初期画面を示す図である。
【図１０】図２に示すディスプレイに表示されるメディアセット案内画面を示す図である。
【図１１】図２に示すディスプレイに表示されるサービス選択画面を示す図である。
【図１２】図２に示すディスプレイに表示されるプリントサイズ選択画面を示す図である。
【図１３】図２に示すディスプレイに表示される分類項目選択画面を示す図である。
【図１４】図２に示すディスプレイに表示される周辺環境選択画面を示す図である。
【図１５】図２に示すディスプレイに表示されるプリントサービスの注文画面を示す図である。
【図１６】図２に示すディスプレイに表示されるプリントサービスの注文画面（最終ページ）を示す図である。
【図１７】図２に示すディスプレイに表示される書き込みサービスの注文画面を示す図である。
【図１８】図２に示すディスプレイに表示されるテンプレート選択画面を示す図である。
【図１９】図２に示すディスプレイに表示される名前入力画面を示す図である。
【図２０】図２に示すディスプレイに表示される注文内容確認画面を示す図である。
【図２１】図２に示すディスプレイに表示される受付証発行画面を示す図である。
【図２２】図４に示す写真処理装置における処理手順を示すフローチャートである。
【符号の説明】
【０１０５】
１  プリントシステム
４０  周辺環境選択画面
５０  注文画面
１０１  プリント注文受付装置
１２２  判断基準記憶部（判断基準記憶手段）
１２４  分類部（分類手段）
１２５  指定部（指定手段）
１２６  抽出部（抽出手段）
１２８  表示制御部（注文画面表示制御手段・選択画面表示制御手段）
１３１  分類項目書換部（書換手段）
１３３  確認部（確認手段）
１３５  画像処理部（画像処理手段）
１３７  テンプレート選択部（テンプレート選択手段）
１４０  ディスプレイ
１４１  タッチパネル（周辺環境入力手段）
１５０  メディアドライブ（読み出し部）
【図１】
2006301052.tif 000003
【図２】
2006301052.tif 000004
【図３】
2006301052.tif 000005
【図４】
2006301052.tif 000006
【図５】
2006301052.tif 000007
【図６】
2006301052.tif 000008
【図７Ａ】
2006301052.tif 000009
【図７Ｂ】
2006301052.tif 000010
【図８】
2006301052.tif 000011
【図９】
2006301052.tif 000012
【図１０】
2006301052.tif 000013
【図１１】
2006301052.tif 000014
【図１２】
2006301052.tif 000015
【図１３】
2006301052.tif 000016
【図１４】
2006301052.tif 000017
【図１５】
2006301052.tif 000018
【図１６】
2006301052.tif 000019
【図１７】
2006301052.tif 000020
【図１８】
2006301052.tif 000021
【図１９】
2006301052.tif 000022
【図２０】
2006301052.tif 000023
【図２１】
2006301052.tif 000024
【図２２】
2006301052.tif 000025